(57)【特許請求の範囲】
【請求項１】
遊技機本体の前部に配置された前扉と、
前記前扉に装着され且つ外部操作可能な演出用の操作装置と、
遊技球を発射する発射手段を操作するための発射ハンドルとを備え、
前記前扉は、樹脂製の扉ベースと、前記扉ベースに装着され且つ前記発射ハンドルの後端側を固定するハンドル固定板金とを備えた
遊技機において、
前記操作装置は、可動体を含む演出手段と一体化されていると共に、上方から下方に向けて押圧操作されるものであり、
前記操作装置を支持する操作装置支持板金を前記扉ベースの前側に配置し、
前記操作装置支持板金を、前記扉ベースと前記ハンドル固定板金とに夫々連結した
ことを特徴とする遊技機。
【発明の詳細な説明】
【技術分野】
【０００１】
本発明は、外部操作可能な操作装置を備えた遊技機に関するものである。
【背景技術】
【０００２】
パチンコ機等の遊技機では、遊技者の遊技への関与意識を高めて興趣を増大させるため、発射ハンドル等とは別に押しボタン式、その他の演出用の操作手段を設け、図柄変動中等に設定された所定の操作有効期間中に遊技者に対して操作手段の操作を促すと共にその操作手段の操作に基づいて演出を行うようにしたものが多い。また、その操作手段を有する操作装置に、発光体や可動体等の各種演出手段を一体化したものもある（例えば特許文献１）。
【先行技術文献】
【特許文献】
【０００３】
【特許文献１】特開２０１３−１６６０３５号公報
【発明の概要】
【発明が解決しようとする課題】
【０００４】
演出用の操作手段はその性質上、興奮した遊技者によって乱暴に操作される場合が多い。また、操作装置は、特に可動体等の演出手段と一体化することによって大型化、重量化する傾向にある。従って、操作装置の遊技機本体への取付強度が不十分であれば、短期間で各部に損傷や撓みが発生し、正常に使用できなくなる可能性がある。
【０００５】
本発明は上記事情に鑑みてなされたものであり、操作装置について十分な取付強度を確保することができ、多少乱暴な操作等があっても短期に損傷や撓みが生じることのない遊技機を提供することを目的とする。
【課題を解決するための手段】
【０００６】
本発明は、遊技機本体１の前部に配置された前扉８と、前記前扉８に装着され且つ外部操作可能な演出用の操作装置４４と、遊技球を発射する発射手段７を操作するための発射ハンドル１７とを備え、前記前扉８は、樹脂製の扉ベース５１と、前記扉ベース５１に装着され且つ前記発射ハンドル１７の後端側を固定するハンドル固定板金５５とを備えた遊技機において、前記操作装置４４は、可動体８２を含む演出手段と一体化されていると共に、上方から下方に向けて押圧操作されるものであり、前記操作装置４４を支持する操作装置支持板金５２を前記扉ベース５１の前側に配置し、前記操作装置支持板金５２を、前記扉ベース５１と前記ハンドル固定板金５５とに夫々連結したものである。
【０００７】
前記操作装置支持板金５２は、前記扉ベース５１の前面側に沿って配置される取付部６１，６２と、該取付部６１，６２の前側に配置される受け部６３とを一体に備え、前記受け部６３に前記操作装置４４を固定し、前記取付部６１，６２を前記扉ベース５１と前記ハンドル固定板金５５とに夫々連結してもよい。この場合、前記操作装置支持板金５２は、前記取付部６１，６２と前記受け部６３とに跨がってそれらに対して略垂直に配置される補強部６８を一体に備えた構成としてもよい。
【０００８】
また、前記ハンドル固定板金５５を前記扉ベース５１の裏側に装着し、前記操作装置支持板金５２と前記ハンドル固定板金５５とを前記扉ベース５１を挟んで互いに連結してもよい。
【０００９】
また、前記前扉８の開閉端側の縁部に沿ってその裏側に開閉端側補強板金５４を配置し、前記ハンドル固定板金５５と前記開閉端側補強板金５４とを互いに連結してもよい。前記操作装置支持板金５２の後側で且つ前記前扉８の開閉端近傍からヒンジ端近傍までの範囲に対応してその裏側に中央補強板金５６を配置し、前記操作装置支持板金５２を前記中央補強板金５６に連結してもよい。
【発明の効果】
【００１０】
本発明によれば、操作装置について十分な取付強度を確保することができ、多少乱暴な操作等があっても短期に損傷や撓みが生じることを防止できる。
【図面の簡単な説明】
【００１１】
【図１】本発明の第１の実施形態に係るパチンコ機の全体正面図である。
【図２】同パチンコ機の前扉の裏面図及び内枠の正面図である。
【図３】同パチンコ機の前扉を構成する板金の分解斜視図である。
【図４】同パチンコ機の演出ボタンユニットの斜視図である。
【図５】同パチンコ機の演出ボタンユニットの分解斜視図である。
【図６】同パチンコ機の演出ボタンユニットを構成する可動演出手段の分解斜視図である。
【図７】同パチンコ機の演出ボタンユニットを構成するベースフレーム等の分解斜視図である。
【図８】同パチンコ機の演出ボタンユニットを構成する振動発生手段等の分解斜視図である。
【図９】同パチンコ機の要部正面断面図である。
【図１０】同パチンコ機の要部正面断面図である。
【図１１】同パチンコ機の要部側面断面図である。
【図１２】同パチンコ機の要部側面断面図である。
【図１３】同パチンコ機の演出ボタンユニットの平面断面図である。
【図１４】同パチンコ機の演出ボタンユニットの側面断面図である。
【図１５】同パチンコ機の演出ボタンユニットの平面断面図である。
【図１６】同パチンコ機の回転体の回転停止位置の説明図である。
【図１７】同パチンコ機の制御系のブロック図である。
【図１８】同パチンコ機の操作演出選択テーブルの一例を示す図である。
【図１９】同パチンコ機の第１〜第３操作演出選択テーブルの一例を示す図である。
【図２０】同パチンコ機の操作演出決定処理のフローチャートを示す図である。
【図２１】同パチンコ機の操作誘導報知制御処理のフローチャートを示す図である。
【図２２】同パチンコ機の操作時演出制御処理のフローチャートを示す図である。
【図２３】本発明の第２の実施形態に係るパチンコ機の操作演出決定処理のフローチャートを示す図である。
【図２４】同パチンコ機の操作時演出制御処理のフローチャートを示す図である。
【図２５】本発明の第３の実施形態に係るパチンコ機の演出ボタンユニットの平面断面図である。
【発明を実施するための形態】
【００１２】
以下、本発明の実施形態を図面に基づいて詳述する。図１〜図２２は本発明をパチンコ機に採用した第１の実施形態を例示している。図１及び図２において、遊技機本体１は、矩形状の外枠２と、この外枠２の前側に左右一側、例えば左側のヒンジ３により開閉自在に枢着された内枠４とを備えている。
【００１３】
内枠４の前面側には、その上部側に遊技盤５を装着するための遊技盤装着枠６等が、下部側に発射手段７、下部スピーカ３６ａ等が夫々配置されると共に、それらの前側を覆う前扉８がヒンジ３と同じ側のヒンジ９により開閉自在に枢着されている。
【００１４】
発射手段７は、図２に示すように、板金製の支持板１１と、この支持板１１の前面に装着された発射レール１２と、支持板１１の前面に装着され且つ発射用の遊技球を発射レール１２上に保持する球保持部１３と、支持板１１の前面で前後方向の駆動軸１４廻りに揺動自在に支持された打撃槌１５と、支持板１１の裏側に装着され且つ打撃槌１５を駆動軸１４を介して打撃方向に駆動するロータリソレノイド等の発射駆動手段１６とを備え、前扉８側の発射ハンドル１７が操作されたときに、その操作量に応じて発射駆動手段１６により打撃槌１５を打撃方向（時計廻り）に連続的に駆動するようになっている。これにより、発射レール１２上に１個ずつ供給される遊技球が発射レール１２に沿って遊技盤５の遊技領域５ａに向けて発射される。
【００１５】
遊技盤５は、遊技盤装着枠６に対して例えば前側から装着され、１又は複数の固定具１８により着脱自在に固定されており、その前面側には、発射手段７によって発射された遊技球を案内するガイドレール２１が環状に装着されると共に、そのガイドレール２１の内側の遊技領域５ａに、センターケース２２、普通図柄始動手段２３、特別図柄始動手段２４、大入賞手段２５、普通入賞手段２６等の各種遊技部品が配置されている。
【００１６】
センターケース２２には、液晶式等の画像表示手段２７の他、普通図柄表示手段２８、特別図柄表示手段２９、普通保留個数表示手段３０等が設けられている。画像表示手段２７は、演出図柄表示手段３１、特別保留個数表示手段３２、操作誘導表示手段３３等を構成している。
【００１７】
普通図柄表示手段２８は、普通図柄を変動表示するためのもので、例えば「○」「×」の２種類の普通図柄に対応する２個の発光体（例えばＬＥＤ）により構成されており、通過ゲート等よりなる普通図柄始動手段２３が遊技球を検出することを条件にそれら２つの発光体が所定時間交互に点滅して、普通図柄始動手段２３による遊技球検出時に取得された当たり判定乱数値が予め定められた当たり判定値と一致する場合には当たり態様に対応する「○」側の発光体が発光した状態で、それ以外の場合には外れ態様に対応する「×」側の発光体が発光した状態で、点滅が終了するようになっている。
【００１８】
また、普通図柄表示手段２８の変動表示中、又は後述する普通利益状態中に普通図柄始動手段２３が遊技球を検出した場合には、その検出時に取得された当たり判定乱数値が予め定められた上限保留個数、例えば４個を限度として記憶されると共に、例えば上限保留個数と同数の発光体よりなる普通保留個数表示手段３０がその発光個数により当たり判定乱数値の記憶個数（以下、普通保留個数という）を表示して、その時点での普通保留個数を遊技者に報知するようになっている。
【００１９】
特別図柄始動手段２４は、特別図柄表示手段２９による図柄変動を開始させるためのもので、例えば上下２つの始動入賞手段２４ａ，２４ｂを備え、センターケース２２の下側に配置されている。上始動入賞手段２４ａは、開閉手段等を有しない非開閉式の入賞手段である。下始動入賞手段２４ｂは、開閉手段３４により遊技球が入球不可能（又は入球困難）な閉状態と入球可能（又は入球容易）な開状態とに切り換え可能な開閉式の入賞手段で、普通図柄表示手段２８の変動後の停止図柄が当たり態様となって普通利益状態が発生したときに、閉状態から開状態へと所定時間開放されるようになっている。
【００２０】
特別図柄表示手段２９は、１個又は複数個、例えば１個の特別図柄を変動表示可能な７セグメント式等の表示手段により構成されており、特別図柄始動手段２４が遊技球を検出すること、即ち上下２つの始動入賞手段２４ａ，２４ｂの何れかに遊技球が入賞することを条件に特別図柄を所定時間変動表示して、始動入賞手段２４ａ，２４ｂへの入賞時に取得された大当たり判定乱数値が予め定められた大当たり判定値と一致する場合には所定の大当たり態様（特定態様）で、それ以外の場合には例えば外れ態様で停止するようになっている。
【００２１】
また、特別図柄の変動表示中、又は後述する特別利益状態中に始動入賞手段２４ａ，２４ｂに遊技球が入賞した場合には、その入賞時に取得された大当たり判定乱数値等が夫々所定の上限保留個数、例えば各４個を限度として記憶されると共に、特別保留個数表示手段３２が大当たり判定乱数値の記憶個数（以下、特別保留個数という）を表示して、その時点での特別保留個数を遊技者に報知するようになっている。
【００２２】
演出図柄表示手段３１は、例えば特別図柄表示手段２９による特別図柄の変動表示と並行して演出図柄を変動表示するもので、１個又は複数個、例えば左右方向に３個の演出図柄を例えば各種の演出画像と共に画像表示手段２７の表示画面２７ａに変動表示可能に構成されており、特別図柄始動手段２４が遊技球を検出した場合、即ち上下２つの始動入賞手段２４ａ，２４ｂの何れかに遊技球が入賞した場合に、特別図柄の変動開始と同時に複数種類の変動パターンの何れかに従って演出図柄の変動を開始すると共に、特別図柄の変動停止と同時に最終停止するように、演出図柄を左、右、中等の所定の順序で停止させるようになっている。なお本実施形態では、特別図柄が大当たり態様で停止する場合には演出図柄も大当たり態様で停止し、特別図柄が外れ態様で停止する場合には演出図柄も外れ態様で停止するものとする。
【００２３】
大入賞手段２５は、遊技球が入球可能な開状態と入球不可能な閉状態とに切り換え可能な開閉板２５ａを備えた開閉式入賞手段で、特別図柄表示手段２９の変動後の特別図柄が大当たり態様となって特別利益状態が発生したときに、開閉板２５ａが所定の開放パターンに従って前側に開放して、その上に落下した遊技球を内部へと入賞させるようになっている。
【００２４】
前扉８には、遊技領域５ａの前側に対応して窓孔３５が形成され、例えばその周囲に複数の上部スピーカ３６ｂ、送風演出装置３７等の演出手段が配置されている。また、前扉８の下部側には、例えば左寄りの位置に、払い出し手段（図示省略）から払い出された遊技球を貯留して発射手段７に供給する上皿３８が配置されており、更にその上皿３８の下側には、上皿３８が満杯のときの余剰球等を貯留する下皿３９が左端側に、発射ハンドル１７が右端側に夫々配置されている。
【００２５】
また、前扉８の前面側には、窓孔３５の周囲を前側から略覆う上装飾カバー４０と、上皿３８、下皿３９等を前側から略覆う下装飾カバー４１とが装着されており、前扉８の背面側には、窓孔３５を後側から略塞ぐガラスユニット３５ａが着脱自在に装着されている。また、下装飾カバー４１上には、例えば上皿３８の前側の左右方向略中央に遊技者が操作可能な演出ボタン（操作手段）４２が、またその右側に球貸し操作部４３が夫々配置されている。演出ボタン４２は、下装飾カバー４１内に配置された演出ボタンユニット（操作装置）４４上に設けられている。
【００２６】
以下、前扉８について、図２〜図４等に基づいて演出ボタンユニット４４の取付構造を中心に更に詳しく説明し、また図４〜図１６等に基づいて演出ボタンユニット４４の構造についても詳述する。
【００２７】
前扉８は、図２，図３に示すように窓孔３５が形成された樹脂製の扉ベース５１を備え、この扉ベース５１の前面側に、上装飾カバー４０、上皿３８、下皿３９、演出ボタンユニット４４、下装飾カバー４１、発射ハンドル１７の他、演出ボタンユニット４４を支持する演出ボタンユニット支持板金（操作装置支持板金）５２が装着されている。また、扉ベース５１の背面側には、ガラスユニット３５ａの他、ヒンジ端側補強板金５３、開閉端側補強板金５４、ハンドル固定板金５５、中央補強板金５６、球送りユニット５７、下皿案内ユニット５８等が装着されている。
【００２８】
ヒンジ端側補強板金５３は、前扉８におけるヒンジ９側の縁部を補強するためのもので、扉ベース５１のヒンジ９側縁部に沿ってその裏側に着脱自在に固定されている。開閉端側補強板金５４は、前扉８における開閉端側の縁部を補強するためのもので、扉ベース５１の開閉端側縁部に沿ってその裏側に着脱自在に固定されている。開閉端側補強板金５４には例えば施錠操作装置５９が固定されている。この施錠操作装置５９は、内枠４に対する前扉８の施錠及び外枠２に対する内枠４の施錠の解除操作を行うためのもので、キーシリンダ５９ａ（図１）と、一対の係合爪６０ａ，６０ｂを有し且つキーシリンダ５９ａの前後方向の操作軸の後端に固定された解除動作部６０とを備えている。そして、キーシリンダ５９ａの前側からキーを挿入し、そのキーを一方側に回動操作した場合には、一方の係合爪６０ａが前扉８の施錠機構を解除方向に移動させることにより前扉８の内枠４に対する施錠が解除され、またキーを他方側に回動操作した場合には、他方の係合爪６０ｂが内枠４の施錠機構を解除方向に移動させることにより内枠４の外枠２に対する施錠が解除されるようになっている。
【００２９】
ハンドル固定板金５５は、扉ベース５１における発射ハンドル１７の固定箇所を補強するためのもので、例えば扉ベース５１における開閉端側の下縁部に沿ってその裏側に配置されており、扉ベース５１上の発射ハンドル装着部５１ａに対応する発射ハンドル固定部５５ａと、この発射ハンドル固定部５５ａに対する開閉端側に設けられた開閉端側固定部５５ｂと、発射ハンドル固定部５５ａに対するヒンジ９側に設けられたヒンジ端側固定部５５ｃとを一体に備えている。
【００３０】
発射ハンドル装着部５１ａは、例えば扉ベース５１の下端部における開閉端の近傍に配置されており、その前側から発射ハンドル１７の後端部が装着されるようになっている。この発射ハンドル装着部５１ａは例えば右側に向けて傾斜しており、発射ハンドル１７を若干開閉端側（右側）に傾いた状態で保持している。
【００３１】
ハンドル固定板金５５の発射ハンドル固定部５５ａは、発射ハンドル装着部５１ａの背面側に沿って開閉端側に向けて若干傾いた状態で配置されており、発射ハンドル装着部５１ａの前側に装着された発射ハンドル１７の後端側は、発射ハンドル装着部５１ａを挟んでこの発射ハンドル固定部５５ａにねじ止めにより固定されている。
【００３２】
また開閉端側固定部５５ｂは、開閉端側補強板金５４の下端部と前後に重なった状態で例えばその後側に配置され、開閉端側補強板金５４と共に扉ベース５１に一又は複数の固定ねじ５０ａにより固定されている。即ちハンドル固定板金５５は、開閉端側固定部５５ｂにおいて開閉端側補強板金５４に連結されている。またヒンジ端側固定部５５ｃは、扉ベース５１の背面側に沿って配置され、扉ベース５１に対して一又は複数箇所でねじ止めにより固定されている。
【００３３】
中央補強板金５６は、窓孔３５の下側で且つ扉ベース５１の開閉端近傍からヒンジ端近傍までの範囲に対応してその裏側に配置され、扉ベース５１に対して一又は複数箇所でねじ止めにより固定されている。
【００３４】
球送りユニット５７は、上皿３８内の遊技球を１個ずつ発射レール１２上に供給するもので、発射手段７による発射動作と同期して動作するようになっており、発射手段７の前側に対応して扉ベース５１の裏側に着脱自在に固定されている。下皿案内ユニット５８は、上皿３８が満杯となったときの余剰球、及び発射手段７により発射されたにも拘わらず遊技領域５ａに達することなく戻ってきたファール球を下皿３９に案内するためのもので、例えば球送りユニット５７に隣接してそのヒンジ９側に配置され、扉ベース５１の裏側に着脱自在に固定されている。
【００３５】
演出ボタンユニット支持板金５２は、扉ベース５１の前側下部における左右方向略中央に配置されており、図３，図４等に示すように、扉ベース５１の前面側に沿って配置される例えば左右２つの取付部６１，６２と、例えば左取付部６１の下端部前側に略水平に配置される受け部６３と、その受け部６３の左右両縁部に沿って上下一方側、例えば上側に配置される受け部側壁６４，６５と、受け部側壁６４，６５の少なくとも一方（ここでは右受け部側壁６５）の後端側から取付部６１，６２の少なくとも一方（ここでは右取付部６２）の縁部に沿ってその前側に配置される取付部側壁６６と、例えば受け部６３及び左受け部側壁６４の後端側から扉ベース５１の前面側に沿って突設される一又は複数の固定フランジ６７とを一体に備え、取付部６１，６２及び固定フランジ６７の複数箇所で扉ベース５１に対してねじ止めにより固定されている。ここで、側面視略Ｌ字型に形成されている右受け部側壁６５と取付部側壁６６とが、取付部６２と受け部６３とに跨がってそれらに対して略垂直に配置される補強部６８を構成している。
【００３６】
また、例えば右取付部６２は、扉ベース５１だけでなくハンドル固定板金５５及び中央補強板金５６に夫々固定されている。即ち、右取付部６２の後側には、扉ベース５１を挟んでハンドル固定板金５５のヒンジ端側固定部５５ｃと中央補強板金５６の一部とが配置されており、右取付部６２とヒンジ端側固定部５５ｃ、右取付部６２と中央補強板金５６が夫々一又は複数の固定ねじ５０ｂ，５０ｃにより前後に連結されている。
【００３７】
受け部６３は、演出ボタンユニット４４を下側から支持するためのもので、演出ボタンユニット４４を位置決めするための位置決め孔６９ａ、演出ボタンユニット４４をねじ止め固定するための複数のねじ挿通孔７０ａ，７０ｂ等が形成されている。位置決め孔６９ａは例えば受け部６３の後部側における左右方向略中央に配置され、例えばその左右両側にねじ挿通孔７０ａが配置されている。また、受け部６３の前縁側には前向きに突出する突出部６３ａが例えば左右方向の略中央に形成されており、その突出部６３ａ上にねじ挿通孔７０ｂが設けられ、またその突出部６３ａの一側、例えば左側部が演出ボタンユニット４４を位置決めするための位置決め部６９ｂとなっている。
【００３８】
また、受け部６３の後部上側には、左取付部６１の前面側に沿って後部ガード７１が配置されている。この後部ガード７１は、受け部６３上に配置される演出ボタンユニット４４をその後側からガードするためのもので、図３等に示すように例えば左取付部６１の前側に固定される固定部７１ａと、この固定部７１ａの前側に配置され且つその前面側が演出ボタンユニット４４の背面に沿って例えば略円筒面状に形成されたガード部７１ｂとを一体に備え、固定部７１ａを例えば左取付部６１と共に扉ベース５１にねじ止めすることにより左取付部６１の前側に着脱自在に固定されている。そして、受け部６３上に演出ボタンユニット４４が装着されたとき、図１１等に示すようにその演出ボタンユニット４４の背面側にガード部７１ｂが当接又は近接することにより、演出ボタンユニット４４の後側への倒れを阻止するようになっている。
【００３９】
扉ベース５１の下部前側には、演出ボタンユニット支持板金５２の左側に上皿３８，下皿３９等が、右側に発射ハンドル１７等が夫々配置され、演出ボタンユニット４４及び演出ボタンユニット支持板金５２、上皿３８、下皿３９等を前側から略覆うように下装飾カバー４１が着脱自在に装着されている。なお、下装飾カバー４１は、図１に示すように、演出ボタンユニット４４の上側周辺部から前側にかけて略覆う演出ボタンカバー７２ａと、この演出ボタンカバー７２ａの外縁部に沿って装着される装飾カバー７２ｂとを備えている。演出ボタンカバー７２ａは、外部から内部の演出ボタンユニット４４が視認可能なように無色透明又は有色透明の合成樹脂により形成されると共に、図９〜図１２に示すようにその上部側にボタン挿通孔７３が形成されており、そのボタン挿通孔７３を介して演出ボタン４２の上端部が突出している。
【００４０】
演出ボタンユニット支持板金５２は以上のように構成され、支持されているため、演出ボタンユニット４４について十分な取付強度を確保することができ、多少乱暴な操作等があっても短期に損傷や撓みが生じることはない。
【００４１】
演出ボタンユニット４４は、図５等に示すように、回転駆動手段（駆動手段）８１の駆動により回転可能な回転体（可動体）８２を有する可動演出手段８３と、演出ボタン４２と、振動発生手段８４と、この振動発生手段８４により発生した振動を演出ボタン４２に伝達する振動伝達手段８５ａ〜８５ｄ（図８等）と、上部カバー部材８６と、それらを支持するベースフレーム８７とを備えている。
【００４２】
可動演出手段８３は、図６，図１０，図１２，図１３，図１６等に示すように、回転体８２と、この回転体８２を回転（所定動作の一例）自在に支持する例えば一対の回転支持手段８９ａ，８９ｂと、内部発光基板９０と、この内部発光基板９０を回転体８２内で支持する基板支持手段９１と、回転駆動手段８１とを備えている。
【００４３】
回転体８２は、中空状に形成された回転本体９２と、この回転本体９２の左右両側に着脱自在に装着された回転軸受部材９３ａ，９３ｂとを備えている。回転本体９２は、複数の部材、例えば第１〜第５部材９２ａ〜９２ｅを組み合わせることにより略球体状に形成されており、その略中心を通る左右方向の軸廻りに、所定角度ピッチ、例えば９０度ピッチで複数、例えば３つの第１〜第３装飾面９５ａ〜９５ｃ（図５，図１６等）が形成されている。第１〜第３装飾面９５ａ〜９５ｃには、例えば夫々異なる装飾が施されると共に、夫々の少なくとも一部が透光性の発光レンズ部となっている。なお、第１〜第３装飾面９５ａ〜９５ｃは、第２装飾面９５ｂが上向きのとき、第１装飾面９５ａが前向き、第３装飾面９５ｃが後向きとなるように回転本体９２上に配置されている。なお、装飾面の配置数、配置角度ピッチ等は任意である。
【００４４】
回転軸受部材９３ａ，９３ｂは、略円筒状の軸受部（被支持部）９４ａ，９４ｂを備え、それら軸受部９４ａ，９４ｂの中心軸が、回転本体９２の略中心を通る左右方向の回転軸と一致するように、回転本体９２の左右両端部に着脱自在に固定されている。左右の回転軸受部材９３ａ，９３ｂのうち、例えば右側の回転軸受部材９３ｂには、軸受部９４ｂの外端側に被駆動ギア９７とフォトセンサ用の被検出部９８とが例えば一体に設けられている。なお、回転軸受部材９３ａ，９３ｂを回転本体９２と一体に形成してもよい。
【００４５】
回転体８２の内側（以下、発光室８２ａという）には、内部発光基板９０と基板ベース部材９９とが配置されており、この基板ベース部材９９に回転支持手段８９ａ，８９ｂ、基板支持手段９１等が設けられている。内部発光基板９０は、例えば略円形に形成され、その表裏両面に夫々一又は複数のＬＥＤ（発光体）１００ａ，１００ｂが配置されており、基板支持手段９１により、表面９０ａ側を上向きにした状態で回転体８２の略中央で略水平に支持されている。内部発光基板９０の表面９０ａ側（ここでは上面側）には例えば多数のＬＥＤ１００ａが略全面にわたって所定のパターンで配置されており、また裏面９０ｂ側（ここでは下面側）には、図１２，図１３等に示すようにその前部のＬＥＤ配置領域内に例えば複数（ここでは５個）のＬＥＤ１００ｂが前縁部に沿って略等間隔で配置されると共に、後部側の所定位置にコネクタ１０１が配置されている。
【００４６】
基板支持手段９１は、略円形の底壁９１ａとその底壁９１ａの外縁に沿って上向きに設けられた周壁９１ｂとで略皿形に形成されており、周壁９１ｂの内側に内部発光基板９０が上側から嵌め込まれ、図１０，図１２に示すように底壁９１ａの上側に所定の隙間を保持した状態でねじ止め等により固定されている。この基板支持手段９１は、例えば非透光性（又は低透光性）で、図１２，図１３に示すようにその外周側が回転体８２の内面に近接した状態で回転体８２内の略中央に配置され、内部発光基板９０と共に、回転体８２内の発光室８２ａを内部発光基板９０の表面９０ａ側（ここでは上側）に対応する表側空間１０２と裏面９０ｂ側（ここでは下側）に対応する裏側空間１０３とに略仕切っている。なお、基板支持手段９１の表側空間１０２側には、内部発光基板９０の表面９０ａ側を略覆う例えばドーム型の内レンズ１０４が配置され、基板支持手段９１に対してねじ止め等により着脱自在に装着されている。
【００４７】
内部発光基板９０の裏面９０ｂに対向する底壁９１ａ上には、例えば裏側空間１０３側に凹入する溝部１０５が例えば底壁９１ａの略中心を通って左右方向に配置されると共に、その溝部１０５上には配線用開口部１０６が、溝部１０５よりも前側にはＬＥＤ１００ｂに対応する例えば複数（ここでは５個）の導光用開口部１０７が、溝部１０５よりも後側にはコネクタ１０１に対応するコネクタ用開口部１０８が夫々形成されている。導光用開口部（導光部）１０７は、ＬＥＤ１００ｂからの光を基板支持手段９１の裏側（ここでは下側）の裏側空間１０３に導くためのものであり、またコネクタ用開口部１０８は、コネクタ１０１を裏側空間１０３側に露出させるためのものである。
【００４８】
また、基板支持手段９１の裏側には、裏側空間１０３を例えば前側の裏側第１空間１０３ａと後側の裏側第２空間１０３ｂとに略仕切る裏仕切部材１０９が例えば一体に設けられている。この裏仕切部材１０９は、基板支持手段９１と同じ非透光性（又は低透光性）で、図６，図１２に示すように例えば正面視半月状に形成されており、その縁部が回転体８２の内面に近接するように、基板支持手段９１における導光用開口部１０７よりも後側で且つ配線用開口部１０６及びコネクタ用開口部１０８よりも前側の位置から下向きに突設されている。
【００４９】
回転支持手段８９ａ，８９ｂは、夫々基板支持手段９１の左右両端側から外向きに突出しており、回転体８２の軸受部（被支持部）９４ａ，９４ｂ内に、夫々略円筒状のブッシュ１１０を介して相対回転可能に挿通することにより、回転体８２を左右方向の軸廻りに回転自在に支持している。回転支持手段８９ａ，８９ｂは、例えば略筒状（又は樋状）に形成されており、その内側が回転体８２の内外を繋ぐ配線通路１１１ａ，１１１ｂとなっている。なお、回転支持手段８９ａ，８９ｂの基板支持手段９１側端部には夫々鍔部１１２が一体に設けられている。
【００５０】
このように、内部発光基板９０を支持する基板支持手段９１に、回転体８２を回転自在に支持する回転支持手段８９ａ，８９ｂを設けているため、内部発光基板９０の周りを回転する回転体８２を備えた可動演出手段８３を無駄なスペースを省いてコンパクトに構成することが可能となっている。
【００５１】
基板支持手段９１の裏側（ここでは下側）からコネクタ用開口部１０８を介してコネクタ１０１に接続された内部基板用ハーネス（ケーブル）１１３は、図１０，図１２等に示すように、配線用開口部１０６，溝部１０５を経て配線通路１１１ａ，１１１ｂの何れか、例えば右側の配線通路１１１ｂを通って回転体８２の外側に引き出されている。
【００５２】
回転体８２は、その上部側がＬＥＤ１００ａからの光によって発光し、下部前側がＬＥＤ１００ｂから導光用開口部１０７を介して裏側第１空間１０３ａに導かれた光によって発光する。このとき、この裏側第１空間１０３ａとその後側の裏側第２空間１０３ｂとは裏仕切部材１０９で仕切られているため、裏側第２空間１０３ｂ内の配線又はその影が前側から見えるようなことはない。
【００５３】
また、基板支持手段９１により内部発光基板９０を裏面側から支持し、その基板支持手段９１に、内部発光基板９０の裏面側に配置されたＬＥＤ１００ｂからの光を基板支持手段９１の裏側（ここでは下側）に導く導光用開口部１０７を設けているため、表裏両面にＬＥＤ１００ａ，１００ｂを配置した内部発光基板９０を、その機能を損なうことなく確実に固定することが可能である。
【００５４】
以上のような可動演出手段８３は、図５等に示すように例えば左右の支持ベース部材（支持手段）１２１ａ，１２１ｂを介してベースフレーム（ベース体）８７により支持されている。ベースフレーム８７は例えば板金製で、図７，図１０等に示すように、支持ベース部材１２１ａ，１２１ｂを夫々支持する左右の側部支持部１２２ａ，１２２ｂと、これら側部支持部１２２ａ，１２２ｂをその下部側で左右に連結する底壁部１２３とを一体に備えており、左右の側部支持部１２２ａ，１２２ｂ間に、可動演出手段８３及び演出ボタン４２が配置されている。
【００５５】
側部支持部１２２ａ，１２２ｂは、支持ベース部材１２１ａ，１２１ｂを介して可動演出手段８３、演出ボタン４２等を支持するためのもので、左右方向に互いに対向する支持ベース部材１２１ａ，１２１ｂの背面側（左右方向の外側）に沿って配置される背面板１２４ａ，１２４ｂと、この背面板１２４ａ，１２４ｂの前後両縁部から支持ベース部材１２１ａ，１２１ｂの前後の側面に沿って突設される側面板１２５ａ，１２５ｂと、背面板１２４ａ，１２４ｂの下縁部から支持ベース部材１２１ａ，１２１ｂの底面に沿って例えば略水平に突設される底面板１２６ａ，１２６ｂとで構成されている。側部支持部１２２ａ，１２２ｂの背面板１２４ａ，１２４ｂには、例えばその上縁側から下向きに凹入する凹入部１２７ａ，１２７ｂが形成されている。
【００５６】
底壁部１２３は、その下側に配置される振動発生手段８４等を支持するためのもので、例えば左右方向の細長状に形成され、側部支持部１２２ａ，１２２ｂの下端部よりも下側に略水平に配置されており、その左右両端部が、側部支持部１２２ａ，１２２ｂの底面板１２６ａ，１２６ｂと夫々上下方向の連結部１２８により一体に連結されている。
【００５７】
支持ベース部材１２１ａ，１２１ｂは、例えば合成樹脂製で、夫々ベースフレーム８７の側部支持部１２２ａ，１２２ｂに装着され、例えば背面板１２４ａ，１２４ｂにねじ止め等により固定されており、可動体受け部（支持手段）１２９ａ，１２９ｂとボタンレール（案内手段）１３０ａ，１３０ｂとを一体に備えている。
【００５８】
可動体受け部１２９ａ，１２９ｂは、可動演出手段８３を回転支持手段８９ａ，８９ｂにおいて支持するためのもので、図７，図１０，図１３等に示すように側部支持部１２２ａ，１２２ｂの凹入部１２７ａ，１２７ｂに対応して例えば支持ベース部材１２１ａ，１２１ｂの上部側に設けられ、例えば上向きに開放する樋状に形成されており、凹入部１２７ａ，１２７ｂを介して左右方向の外側、即ち演出ボタン４２とは反対側に突出している。回転支持手段８９ａ，８９ｂは、図６等に示すようにその端部が回転体８２の軸受部９４ａ，９４ｂの外側に突出しており、その突出部分が可動体受け部１２９ａ，１２９ｂに上側から嵌め込まれ、ねじ止め等により例えば支持ベース部材１２１ａ，１２１ｂに固定されている。
【００５９】
ボタンレール１３０ａ，１３０ｂは、演出ボタン４２を所定方向（ここでは上下方向）に案内するためのもので、図７，図１３等に示すように例えば支持ベース部材１２１ａ，１２１ｂから夫々左右方向の内側、即ち演出ボタン４２側に突出する前後一対の平行突条部により構成されている。なお、ボタンレール１３０ａ，１３０ｂは夫々軸受部９４ａ，９４ｂを挟んでその前後に配置されている。
【００６０】
また、支持ベース部材１２１ａ，１２１ｂの一方、例えば右側の支持ベース部材１２１ｂには、回転駆動手段８１の駆動軸８１ａを挿通させるための駆動軸挿通孔１３１（図７，図１０）が、例えば可動体受け部１２９ｂの下側に左右方向貫通状に形成されている。回転駆動手段８１は例えばステッピングモータにより構成され、図１０等に示すように側部支持部１２２ｂの外面側（右面側）に横向きに固定されており、駆動軸８１ａは駆動軸挿通孔１３１を介して回転体８２側に突出している。駆動軸８１ａの先端側には駆動ギア１３２が固定されており、この駆動ギア１３２が回転体８２の被駆動ギア９７に噛合している（図１０）。これにより、回転駆動手段８１の駆動力が回転体８２に伝達され、回転体８２は例えば正逆両方向に回転駆動される。
【００６１】
なお回転体８２は、回転駆動手段８１の駆動により、第２装飾面９５ｂが上向きとなる「チャンス位置」（図１６（ａ））と、第３装飾面９５ｃが上向きとなる「ラッキーパト位置」（図１６（ｂ））と、第１装飾面９５ａが上向きとなる「ハッピー位置」（図１６（ｃ））との何れかに切り換え可能であるとする。第３装飾面９５ｃを構成する第３部材９２ｃは、例えば赤、青等の所定色に着色された略半球状のレンズ部材で構成されており、第３装飾面９５ｃが上向きとなる「ラッキーパト位置」にある状態で回転体８２内のＬＥＤ１００ａ等が所定パターンで点滅を繰り返すことにより、外からは回転灯が回っているように見える演出（回転灯演出）を行うことが可能となっている。もちろん、チャンス位置、ラッキーパト位置、ハッピー位置以外での停止を可能としてもよい。
【００６２】
また、例えば右側の支持ベース部材１２１ｂには、図７，図１６等に示すように、回転体８２が所定の原点位置を含む所定範囲内（又は原点位置）にあることを検出するフォトセンサ等よりなる原点位置検出手段１３３と、回転体８２が所定の特定位置を含む特定範囲内（又は特定位置）にあることを検出する同じくフォトセンサ等よりなる特定位置検出手段１３４とが配置されている。本実施形態では、図１６（ａ）に示す「チャンス位置」を原点位置、図１６（ｂ）に示す「ラッキーパト位置」を特定位置に設定している。
【００６３】
原点位置検出手段１３３は、例えばボタンレール１３０ｂ間で且つ軸受部９４ｂの後側近傍に配置され、例えば支持ベース部材１２１ｂに着脱自在に固定されており、回転体８２がチャンス位置（原点位置）を含む所定角度範囲（所定範囲）内にあるときに、回転軸受部材９３ｂ上の被検出部９８を検出して原点位置検出信号を出力するようになっている。また、特定位置検出手段１３４は、例えば軸受部９４ｂの上側近傍に配置され、例えばセンサ取付部材１３５を介して支持ベース部材１２１ｂに着脱自在に固定されており、回転体８２がラッキーパト位置（特定位置）を含む所定角度範囲（特定範囲）内にあるときに被検出部９８を検出して特定位置検出信号を出力するようになっている。
【００６４】
また、ベースフレーム８７の左右一側、例えば右側には、図５，図７等に示すように中継基板１３６が配置されている。この中継基板１３６は、演出ボタンユニット４４上の各種電気部品と演出制御基板２０２等との間の配線を中継するもので、例えば表側を左右方向の外側（右側）に向けた状態で側部支持部１２２ｂの下側に配置され、中継基板取付部材１３７を介して例えば支持ベース部材１２１ｂに着脱自在に固定されている。内部発光基板９０から配線通路１１１ｂを通って回転体８２の外側に引き出された内部基板用ハーネス１１３は、例えば図１０に示すように回転駆動手段８１、原点位置検出手段１３３、特定位置検出手段１３４等からのハーネスと同様に中継基板１３６に接続されている。
【００６５】
また、回転体８２の下側には、図５，図１０，図１２等に示すように、上面側に反射面１３８ａを備えた反射板１３８が配置されている。反射板１３８は、例えば回転体８２と略同径の平面視略円形に形成されており、ベースフレーム８７を構成する底壁部１２３の上面側に着脱自在に固定されている。
【００６６】
演出ボタン４２は、図５，図９〜図１４等に示すように、ボタン本体部１４１と、そのボタン本体部１４１の下端部に装着されるボタン下部カバー１４２及び下部補強板１４３とを備え、例えばベースフレーム８７の下部に配置されたボタン昇降ベース１４４に対してバネ１４５により上向きに弾性付勢されている。
【００６７】
ボタン本体部１４１は、上下方向の略筒状に形成された胴部１４６と、この胴部１４６の上端側に配置され且つ遊技者が押圧操作するための操作部１４７とを備え、その内側に回転体８２を収容するように、ベースフレーム８７における左右の側部支持部１２２ａ，１２２ｂ間に配置されている。このボタン本体部１４１は、無色透明又は有色透明の合成樹脂により例えば一体に形成されており、外部から内部の回転体８２を視認可能となっている。胴部１４６は、回転体８２及び反射板１３８よりも若干大径の断面略円形に形成されており、その左右両側部には、軸受部９４ａ，９４ｂ及びベースフレーム８７の底面板１２６ａ，１２６ｂとの干渉を避けるためのスリット１４８ａ，１４８ｂが、下端部から上向き凹入状に形成されている。
【００６８】
また、胴部１４６上には、スリット１４８ａ，１４８ｂの縁部に沿って左右方向の外側に突出する外縁突条部１４９ａ，１４９ｂが一体に形成され、その外縁突条部１４９ａ，１４９ｂにおける前後の直線部分に、ボタンレール１３０ａ，１３０ｂが前後及び左右両側から略摺接しており（図１３等）、これによって演出ボタン４２は上下方向に移動可能に支持されている。
【００６９】
操作部１４７は、例えば平面視略円形で、例えば胴部１４６よりも小径の筒状に形成された首部１４７ａの上端部を塞ぐように設けられている。胴部１４６の上端部には上側に向けて縮小する肩部１４６ａが設けられており、その肩部１４６ａの上側に首部１４７ａが滑らかに連結されている。なお、操作部１４７は緩やかな膨出状に形成されると共に、例えば演出ボタンカバー７２ａの傾斜に合わせて前側に若干傾いている。
【００７０】
ボタン下部カバー１４２は、図５，図９〜図１４等に示すように例えば合成樹脂によりボタン本体部１４１の下端部開口に対応する水平な略板状に形成され、その略中央には底壁部１２３に対応する矩形状の開口部１４２ａが設けられると共に、下面側の所定位置、例えば開口部１４２ａの前側には下向き突出状の被検出部１５０が例えば一体に形成されている。
【００７１】
下部補強板１４３は、例えば板金製で、図５，図９〜図１４等に示すようにボタン下部カバー１４２の下面側に沿って配置され、例えばボタン下部カバー１４２と共にねじ止め等によりボタン本体部１４１に固定されている。この下部補強板１４３は、バネ１４５によって上向きに付勢されることにより、その上面側にボタン下部カバー１４２の開口部１４２ａを介して底壁部１２３の下面側が当接し（図１０等）、それによって演出ボタン４２が所定の非操作位置に保持されるようになっている。下部補強板１４３の下面側には、複数、例えば４本のガイドピン１５１ａ〜１５１ｄが下向きに突設されている。本実施形態では、図５，図１５等に示すように下部補強板１４３の前側左右にガイドピン１５１ａ，１５１ｂが、後側左右にガイドピン１５１ｃ，１５１ｄが夫々配置されているものとする。また、ガイドピン１５１ａ〜１５１ｄには夫々バネ１４５が装着されている。なお、ボタン下部カバー１４２側の被検出部１５０は、下部補強板１４３に設けられた開口部等を介して下部補強板１４３の下側に突出している。
【００７２】
ボタン昇降ベース１４４は、例えば板金製で、図８〜図１２等に示すようにバネ１４５を介して演出ボタン４２を昇降可能に支持するベース板１５２ａ，１５２ｂと、操作検出手段１５３等を支持するセンサ装着部１５４と、それらベース板１５２ａ，１５２ｂ、センサ装着部１５４等をベースフレーム８７に対して所定位置で支持する支持部１５５とを一体に備えている。
【００７３】
支持部１５５は、ベースフレーム８７の底壁部１２３に沿って例えば矩形状に形成され且つ底壁部１２３の下面に対してねじ止め等により固定される固定板１５５ａと、その固定板１５５ａの縁部、例えば左右両縁部から下向きに突出する連結板１５５ｂとで構成されており、左右の連結板１５５ｂの下縁側に例えば左右一対のベース板１５２ａ，１５２ｂが一体に設けられている。なお、演出ボタン４２の下部補強板１４３には、支持部１５５に対応する挿通孔１４３ａが形成されており、支持部１５５は、図５，図１０等に示すように下部補強板１４３の下側からその下部補強板１４３の挿通孔１４３ａ、ボタン下部カバー１４２の開口部１４２ａを介してベースフレーム８７の底壁部１２３に固定されている。
【００７４】
ベース板１５２ａ，１５２ｂは、演出ボタン４２のガイドピン１５１ａ〜１５１ｄの配置位置に対応して支持部１５５の周囲の例えば左右両側に配置され、夫々底壁部１２３に対してその下側に所定距離をおいて平行に支持されており（図１０等）、その上面側が演出ボタン４２の下部補強板１４３の下面側と上下に対向している。左側のベース板１５２ａにはガイドピン１５１ａ，１５１ｃに対応するピン挿通孔１５６ａ，１５６ｃが、右側のベース板１５２ｂにはガイドピン１５１ｂ，１５１ｄに対応するピン挿通孔１５６ｂ，１５６ｄが夫々形成されており、ガイドピン１５１ａ〜１５１ｄは夫々ピン挿通孔１５６ａ〜１５６ｄを通過してベース板１５２ａ，１５２ｂの下側に突出している。
【００７５】
なお、ピン挿通孔１５６ａ〜１５６ｄは例えば円形で、演出ボタン４２が前後左右にがたついてもガイドピン１５１ａ〜１５１ｄと干渉しない程度の大きさに形成されている。また、ガイドピン１５１ａ〜１５１ｄに夫々装着されているバネ１４５は、ピン挿通孔１５６ａ〜１５６ｄよりも大径のコイルバネである。従って図１４等に示すように、ガイドピン１５１ａ〜１５１ｄがピン挿通孔１５６ａ〜１５６ｄに挿通された状態で、バネ１４５の上端側は演出ボタン４２の下部補強板１４３に、下端側はベース板１５２ａ，１５２ｂに夫々当接しており、下部補強板１４３に対して演出ボタン４２を上向きに弾性付勢している。
【００７６】
また、ベース板１５２ａ，１５２ｂの上面側には、一又は複数の緩衝部材１５７が装着されている。この緩衝部材１５７は、演出ボタン４２がバネ１４５の付勢力に抗して下向きに押圧操作されたときに下部補強板１４３の下面に当接することにより、衝撃を和らげつつ演出ボタン４２を所定の操作位置で規制するためのもので、シリコンゴム等の弾性材料により所定形状、例えば直方体状に形成されており、例えばピン挿通孔１５６ａ〜１５６ｄの近傍に１個ずつ、計４個配置されている。
【００７７】
更に、左側のベース板１５２ａの左縁部及び後縁部、右側のベース板１５２ｂの右縁部及び後縁部には、夫々下向きに突出する略同じ高さの左側壁１５８ａ，左後壁１５９ａ，右側壁１５８ｂ，右後壁１５９ｂが一体に設けられている。なお、例えば上述した中継基板取付部材１３７は、図１０等に示すように下部側が右側壁１５８ｂによって支持されている。
【００７８】
センサ装着部１５４は、図８，図１２等に示すように、例えば支持部１５５を構成する固定板１５５ａの前縁側から、例えば左側壁１５８ａ等の下端部と略同じ上下方向位置まで下向きに突設されており、このセンサ装着部１５４の前側に、フォトセンサ等よりなる操作検出手段１５３がセンサ装着部材１６１を介して固定されている。操作検出手段１５３は、演出ボタン４２が操作されたことを検出するためのもので、演出ボタン４２が非操作位置にあるとき（図１２に実線で示す）には被検出部１５０を検出せず、演出ボタン４２が押圧操作され、バネ１４５の付勢力に抗して操作位置に達したときに、図１２に二点鎖線で示すように演出ボタン４２と共に降下してきた被検出部１５０を検出して操作検出信号を出力するようになっている。
【００７９】
なお、ベース板１５２ａ，１５２ｂの下側で且つセンサ装着部１５４、左後壁１５９ａ，右後壁１５９ｂ，左側壁１５８ａ及び右側壁１５８ｂにより前後左右を取り囲まれた領域は、振動発生手段８４を収容する振動発生手段収容部１６２となっている。
【００８０】
また、ボタン昇降ベース１４４の下端部には、図４等に示すように演出ボタンユニット支持板金５２の受け部６３に設けられたねじ挿通孔７０ａ，７０ｂに対応する固定脚部１６２ａ，１６２ｂと、同じく受け部６３に設けられた位置決め孔６９ａ及び位置決め部６９ｂに対応する位置決め突起１６３ａ，１６３ｂが設けられている。固定脚部１６２ａは例えば左後壁１５９ａ，右後壁１５９ｂの下縁部から受け部６３に沿って例えば後向きに、固定脚部１６２ｂは例えばセンサ装着部１５４の下縁部から受け部６３に沿って例えば前向きに夫々突設されており、それら固定脚部１６２ａ，１６２ｂには夫々ねじ挿通孔７０ａ，７０ｂに対応するねじ止め孔１６４ａ，１６４ｂが形成されている。また、位置決め突起１６３ａは、例えば左後壁１５９ａ及び右後壁１５９ｂの後側に着脱自在に固定される装着ガイド部材１６５の下端部に、位置決め突起１６３ｂは例えばセンサ装着部材１６１の下端部に、固定脚部１６２ａ，１６２ｂよりも下側に突出するように夫々一体に設けられている。
【００８１】
振動発生手段８４は、図８等に示すように、振動装置１７１と、この振動装置１７１の作動により振動する振動ベース体１７２とを備え、ボタン昇降ベース１４４の内側に設けられた振動発生手段収容部１６２内に下側から収容され、振動可能な状態で例えばボタン昇降ベース１４４に支持されている。振動ベース体１７２は、図８，図１０，図１２，図１４等に示すように、振動発生手段収容部１６２内の上部側にベース板１５２ａ，１５２ｂの下面側に沿って配置されており、ガイドピン（挿入部）１５１ａ〜１５１ｄが挿入されるガイド孔（被挿入部）１７３ａ〜１７３ｄと、ボタン昇降ベース１４４側に設けられた複数、例えば２つのクッション支持部１７４ａ，１７４ｂに対応する被支持部１７５ａ，１７５ｂとを備えている。
【００８２】
ガイド孔１７３ａ〜１７３ｄは、図１５等に示すように例えば振動ベース体１７２の四隅近傍に設けられており、振動ベース体１７２の前側左右にガイドピン１５１ａ，１５１ｂに対応するガイド孔１７３ａ，１７３ｂが、後側左右にガイドピン１５１ｃ，１５１ｄに対応するガイド孔１７３ｃ，１７３ｄが夫々配置されている。なお、ガイド孔１７３ａ〜１７３ｄとそれらに対応するガイドピン１５１ａ〜１５１ｄとは、振動発生手段８４により発生した振動を演出ボタン４２に伝達する複数組、ここでは４組の振動伝達手段８５ａ〜８５ｄを構成している。
【００８３】
ガイド孔１７３ａ〜１７３ｄには、図１５に示すようにガイドピン１５１ａ〜１５１ｄに対して所定の遊び（隙間）が設けられている。本実施形態では、ガイドピン１５１ａ〜１５１ｄは全て同じ直径の円柱状に形成されているが、ガイド孔１７３ａ〜１７３ｄの少なくとも一部の大きさ及び／又は形状が他と異なっている。
【００８４】
即ち、ガイド孔１７３ａ〜１７３ｄを断面形状で比較すると、ガイド孔１７３ａ〜１７３ｃは円形であるのに対し、右後側のガイド孔１７３ｄは長円状（又は楕円状）で、その長軸方向が、そのガイド孔１７３ｄから左前側のガイド孔１７３ａへの方向と略一致している。また、断面形状が円形のガイド孔１７３ａ〜１７３ｃで直径を比較すると、右前側のガイド孔１７３ｂと左後側のガイド孔１７３ｃとは略同じであるのに対し、左前側のガイド孔１７３ａはガイド孔１７３ｂ，１７３ｃに比べて小径となっている。更に、右後側のガイド孔１７３ｄの長径（長軸方向の径）は、例えば他のガイド孔１７３ａ〜１７３ｃの直径に比べて大きいが、短径（短軸方向の径）は例えば左前側のガイド孔１７３ａの直径と略同じで、ガイド孔１７３ｂ，１７３ｃの直径より小さくなっている。
【００８５】
このように本実施形態では、振動伝達手段８５ａ〜８５ｄの少なくとも一組における遊びがその他と異なっており、例えば左前側の振動伝達手段（第１振動伝達手段）８５ａの遊びは、その他の全ての振動伝達手段８５ｂ〜８５ｄよりも小さくなっている。また、右後側の振動伝達手段（第２振動伝達手段）８５ｄは、遊びがガイドピン１５１ｄの周方向に一定でなく、その振動伝達手段８５ｄにおいて遊びが最も大きい方向が、その振動伝達手段８５ｄから最も遊びの小さい左前側の振動伝達手段８５ａへの方向と略一致している。また、左前側の振動伝達手段８５ａの遊びと振動伝達手段８５ｄの最小遊びとが略同じであり、その他の振動伝達手段８５ｂ，８５ｃの遊びは振動伝達手段８５ｄの最小遊びよりも大で且つ最大遊びよりも小となっている。
【００８６】
以上のように、振動伝達手段８５ａ〜８５ｄに遊びを設け、またその遊びを各振動伝達手段８５ａ〜８５ｄ毎に異ならせているため、演出ボタン４２にがたつきのある粗い振動を発生させることでインパクトや面白みのある演出を行うことができ、またガイドピン１５１ａ〜１５１ｄの配置位置に多少の誤差があってもそれを吸収することができ、組み立て作業が容易となる利点がある。
【００８７】
被支持部１７５ａ，１７５ｂは、図１５等に示すように例えば振動ベース体１７２の左右両側に配置され、例えば左右方向の凹入状に形成されており、その平面視略Ｕ字状の内面には上下方向所定位置に突条１７７が設けられている。ベース板１５２ａ，１５２ｂの下面側には、図８，図１０，図１４等に示すように、被支持部１７５ａ，１７５ｂにおいて振動ベース体１７２を支持するクッション支持部１７４ａ，１７４ｂが設けられている。クッション支持部１７４ａ，１７４ｂは、ベース板１５２ａ，１５２ｂの裏側から下向きに突設された支持ピン１７８と、この支持ピン１７８に外嵌した状態でねじ止め等により保持されるクッション部材１７０とを備えている。クッション部材１７０は、例えばシリコンゴム等の弾性材料により被支持部１７５ａ，１７５ｂの凹入形状に合致する略円筒状に形成されると共に、その外周面上には被支持部１７５ａ，１７５ｂ側の突条１７７に対応する係合溝１７９が周方向の無端状に形成されている。
【００８８】
振動ベース体１７２は、被支持部１７５ａ，１７５ｂにそれぞれクッション部材１７０を左右両側から嵌め込んだ状態で、それらクッション部材１７０をボタン昇降ベース１４４側の支持ピン１７８に嵌め込んでねじ止めすることにより、振動発生手段収容部１６２内でボタン昇降ベース１４４に支持される。なお、振動ベース体１７２の上面及び外周面とボタン昇降ベース１４４等との間には、振動装置１７１によって振動しても干渉しないように十分な隙間が形成されている（図１０，図１４等）。
【００８９】
振動装置１７１は、駆動軸に偏心重り１８０が装着されたモータにより構成されており、図８，図１５等に示すように、偏心重り１８０の位置が振動ベース体１７２の重心位置と一致しないように例えば偏心重り１８０を後側に向けた状態で振動ベース体１７２の下面側略中央に配置され、装着部材１８１を介して振動ベース体１７２に着脱自在に固定されている。この振動装置１７１を作動させることで、図１４に示すようにクッション支持部１７４ａ，１７４ｂを介して支持されている振動ベース体１７２はボタン昇降ベース１４４に対して振動し、その振動がガイド孔１７３ａ〜１７３ｄとガイドピン１５１ａ〜１５１ｄとよりなる振動伝達手段８５ａ〜８５ｄを介して演出ボタン４２に伝達される。
【００９０】
ここで、上述のように振動伝達手段８５ａ〜８５ｄのなかで振動伝達手段８５ａの遊びが最も小さくなっているが、少なくともその振動伝達手段８５ａの遊びについては、振動装置１７１によって発生する振動ベース体１７２の水平方向の振動幅よりも小さくなっている。従って、振動ベース体１７２の振動は少なくとも振動伝達手段８５ａを介して確実に演出ボタン４２に伝達される。なお、操作検出手段１５３、振動装置１７１等から引き出されたハーネスは中継基板１３６に接続される。
【００９１】
上部カバー部材８６は、図５，図９〜図１２等に示すように、演出ボタン４２の上部側周辺部を保護する環状カバー１８２と、演出ボタン４２の左右両側に配置される上部発光基板１８３ａ，１８３ｂを支持する基板支持部１８４ａ，１８４ｂとを一体に備えている。環状カバー１８２は、例えば円環状に形成されており、演出ボタン４２の首部１４７ａに上側から一定の隙間を介して嵌め込まれ、肩部１４６ａの上側で左右の基板支持部１８４ａ，１８４ｂにより支持されている。
【００９２】
基板支持部１８４ａ，１８４ｂは、ベースフレーム８７を構成する左右の側部支持部１２２ａ，１２２ｂの上側に夫々配置され、例えば支持ベース部材１２１ａ，１２１ｂに対してねじ止め等により着脱自在に固定されている。基板支持部１８４ａ，１８４ｂの上側には、夫々上部発光基板１８３ａ，１８３ｂが、例えばＬＥＤ１８５の配置面を略上向きとした状態で装着されている。
【００９３】
なお、左右の上部発光基板１８３ａ，１８３ｂのうち、右側の上部発光基板１８３ｂからのハーネスはそのまま下側の中継基板１３６に接続されているが、左側の上部発光基板１８３ａからのハーネス１８９は、図１０，図１３に示すように演出ボタン４２及び回転体８２の内部を左から右に通過して、即ち左側の配線通路１１１ａ、回転体８２内の溝部１０５、右側の配線通路１１１ｂを夫々通過して演出ボタンユニット４４の右側に引き出され、中継基板１３６に接続されている。
【００９４】
また、上部カバー部材８６には、一又は複数、例えば二つの位置決め凹部１８６ａ，１８６ｂが、例えば基板支持部１８４ａ，１８４ｂに一体に設けられている。
【００９５】
以上のような演出ボタンユニット４４を前扉８の演出ボタンユニット支持板金５２に装着する際には、図４に示すように演出ボタンユニット４４の下端部の位置決め突起１６３ａ，１６３ｂを演出ボタンユニット支持板金５２の受け部６３における位置決め孔６９ａ及び位置決め部６９ｂに夫々上側から挿入して位置決めし、その状態で、図９〜図１２に示すように、例えば下装飾カバー４１の下部側を構成する下部カバー１８７の下側から、受け部６３のねじ挿通孔７０ａ，７０ｂを介して固定脚部１６２ａ，１６２ｂをねじ止めすることにより行われる。
【００９６】
演出ボタンユニット支持板金５２上に固定された演出ボタンユニット４４は、ボタン挿通孔７３を介して演出ボタン４２の上端部、即ち首部１４７ａから上側を突出させた状態で、下装飾カバー４１の演出ボタンカバー７２によりその上側及び前側が略覆われた状態となる。なお、図１１等に示すようにボタン挿通孔７３の縁部は環状カバー１８２の上面側に略当接している。また演出ボタンユニット４４は、図１０等に示すように、その上部側に設けられた位置決め凹部１８６ａ，１８６ｂに、例えば下装飾カバー４１の内面側に下向きに突設された位置決め凸部１８８ａ，１８８ｂが夫々嵌合することにより、例えば前後左右への倒れが阻止されている。
【００９７】
図１７は本パチンコ機の制御系のブロック図である。図１７において、２０１は主制御基板、２０２は演出制御基板で、これら各制御基板２０１，２０２は、遊技盤５に装着されたセンターケース２２、その他の複数個の遊技部品を裏側から一括して覆う裏カバーの裏側等、内枠４及び遊技盤５を含む遊技機本体１の裏側の適宜箇所に着脱自在に装着された基板ケースに夫々収納されている。
【００９８】
主制御基板２０１は、遊技動作を統括的に制御するもので、ＣＰＵ，ＲＯＭ，ＲＡＭ等により構成される普通乱数作成処理手段２１１、普通始動口チェック処理手段２１２、普通乱数記憶手段２１３、普通図柄処理手段２１４、普通図柄表示制御手段２１５、普通利益状態発生手段２１６、特別乱数作成処理手段２２１、特別始動口チェック処理手段２２２、特別乱数記憶手段２２３、特別図柄処理手段２２４、特別図柄表示制御手段２２５、特別利益状態発生手段２２６、特別遊技状態発生手段２２７、制御コマンド送信手段２２８等を備えている。
【００９９】
普通乱数作成処理手段２１１は、変動後の普通図柄を当たり態様とするか否かの判定に用いる当たり判定乱数等を所定時間毎に繰り返し発生するように構成されている。普通始動口チェック処理手段２１２は、普通図柄始動手段２３による遊技球の検出に基づく処理を行うもので、普通図柄始動手段２３が遊技球を検出することに基づいて、普通乱数作成処理手段２１１で作成された当たり判定乱数値を１個取得し、その当たり判定乱数値を予め定められた上限保留個数（例えば４個）を限度として先入れ先出し式の普通乱数記憶手段２１３に記憶させるように構成されている。
【０１００】
普通図柄処理手段２１４は、普通図柄の変動表示に関する処理を行うもので、普通図柄表示手段２８が変動表示可能な状態となり且つ普通乱数記憶手段２１３に１個以上の当たり判定乱数値が記憶されていること（普通保留個数が１以上であること）を条件に、普通乱数記憶手段２１３に記憶されている当たり判定乱数値の待ち行列からその先頭の当たり判定乱数値を取り出し、その当たり判定乱数値が予め定められた当たり判定値と一致するか否かに応じて当たり／外れの判定を行う当たり判定機能、当たり／外れの判定結果に基づいて普通図柄の変動後の停止図柄の種類を選択する普通停止図柄選択機能、普通図柄の変動時間を選択する変動時間選択機能等を備えている。
【０１０１】
普通図柄表示制御手段２１５は、普通図柄処理手段２１４による普通図柄処理に基づいて普通図柄表示手段２８の表示制御を行うもので、普通図柄表示手段２８が変動表示可能な状態となり且つ普通乱数記憶手段２１３に１個以上の当たり判定乱数値が記憶されていること（普通保留個数が１以上であること）を条件に普通図柄表示手段２８による普通図柄の変動を開始させ、普通図柄処理手段２１４で選択された変動時間が経過することに基づいて、同じく普通図柄処理手段２１４で選択された停止図柄で普通図柄の変動を停止させるようになっている。
【０１０２】
普通利益状態発生手段２１６は、普通図柄処理手段２１４による判定結果が当たりとなることに基づいて普通図柄表示手段２８の変動後の停止図柄が当たり態様となった場合に、特別図柄始動手段２４を構成する下始動入賞手段２４ｂの開閉手段３４を例えば複数種類の開閉パターンの何れかに従って開状態に変化させる普通利益状態を発生させるようになっている。
【０１０３】
特別乱数作成処理手段２２１は、変動後の特別図柄を大当たり態様、外れ態様の何れにするかについての抽選に用いる大当たり判定乱数の他、変動後の特別図柄が大当たり態様となる場合の停止図柄の選択に用いる大当たり図柄乱数、変動後の特別図柄が外れ態様となる場合の停止図柄の選択に用いる外れ図柄乱数、演出図柄の変動パターンの選択に用いる変動パターン乱数、その他の所定の乱数を繰り返し発生する特別乱数作成処理を行うように構成されている。
【０１０４】
特別始動口チェック処理手段２２２は、特別図柄始動手段２４への遊技球の入賞に基づく処理を行うもので、特別図柄始動手段２４が遊技球を検出すること、即ち始動入賞手段２４ａ，２４ｂの何れかに遊技球が入賞することに基づいて、特別乱数作成処理手段２２１で作成された大当たり判定乱数値及び大当たり図柄乱数値を１個ずつ取得し、それら大当たり判定乱数値及び大当たり図柄乱数値を予め定められた上限保留個数（例えば各４個）を限度として先入れ先出し式の特別乱数記憶手段２２３に記憶させるように構成されている。
【０１０５】
特別図柄処理手段２２４は、特別図柄の変動表示に関する処理を行うもので、特別図柄表示手段２９が変動表示可能な状態となり且つ特別乱数記憶手段２２３に１個以上の大当たり判定乱数値が記憶されていること（特別保留個数が１以上であること）を条件に、特別乱数記憶手段２２３に記憶されている大当たり判定乱数値の待ち行列からその先頭の大当たり判定乱数値を取り出し、その大当たり判定乱数値が予め定められた大当たり判定値と一致するか否かに応じて大当たり／外れ（抽選結果）の判定を行う大当たり判定機能、大当たり／外れの判定結果と、特別乱数記憶手段２２３に大当たり判定乱数値と共に記憶されている大当たり図柄乱数値又は新たに取得された外れ図柄乱数値とに基づいて、特別図柄の変動後の停止図柄を選択する特別停止図柄選択機能、大当たり／外れの判定結果と、新たに取得された変動パターン乱数値とに基づいて演出図柄の変動パターンを選択する変動パターン選択機能等を備えている。
【０１０６】
特別図柄表示制御手段２２５は、特別図柄表示手段２９の表示制御を行うもので、特別図柄処理手段２２４による特別図柄処理に基づいて、特別図柄表示手段２９による特別図柄の変動を開始させると共に、選択された演出図柄の変動パターンに対応する変動時間が経過することに基づいて所定の停止図柄で特別図柄の変動を停止させるようになっている。
【０１０７】
特別利益状態発生手段２２６は、特別利益状態（利益状態）を発生させるためのもので、特別図柄処理手段２２４による大当たり／外れの判定結果（抽選結果）が大当たりとなることに基づいて特別図柄表示手段２９による特別図柄の変動後の停止図柄が大当たり態様となった場合に、大入賞手段２５を所定の開放パターンに従って開放する特別利益状態を発生させるようになっている。本実施形態の開放パターンは、大入賞手段２５の開放から所定時間（例えば２８秒）経過するか、それまでに所定個数（例えば９個）の遊技球が入賞することを条件に大入賞手段２５を閉鎖する動作を、所定ラウンド数（例えば１５ラウンド）繰り返すように設定されているものとするが、複数種類の開放パターンを設け、例えば大当たり図柄乱数値に基づいてそれらの何れかを選択するように構成してもよい。
【０１０８】
特別遊技状態発生手段２２７は、特別利益状態終了後に遊技者に有利な特別遊技状態を発生させるためのもので、例えば特別乱数記憶手段２２３に記憶された大当たり判定乱数値が大当たり判定値と一致した場合の大当たり図柄乱数値に応じて、時短状態と確変状態との何れかの特別遊技状態を発生させるように構成されている。
【０１０９】
時短状態中は、特別図柄に関して特別図柄表示手段２９の変動時間が通常変動時間よりも短い短縮変動時間に切り換えられる他、普通図柄に関して、当たり確率が通常確率（例えば１／１０）から高確率（例えば１／１．３）へ、変動時間が通常変動時間（例えば２７秒）から短縮変動時間（例えば２．７秒）へ、下始動入賞手段２４ｂの開閉パターンが通常開閉パターン（例えば０．２秒×１回開放）から特別開閉パターン（例えば２秒×３回開放）へ、夫々切り換えられるようになっている。なお、時短状態は例えば特別利益状態の終了後に発生し、次の特別利益状態が発生するか、それまでに特別図柄が所定回数（例えば５０回）変動した時点で終了する。
【０１１０】
確変状態中は、それ以外の通常確率状態中よりも大当たり判定値の数が例えば１個から１０個へ増加されることにより、特別図柄が大当たり態様となる確率が通常確率（例えば１／３５０）よりも高い高確率（例えば１／３５）に切り換えられると共に、例えば時短状態と同様の処理も併せて行われるようになっている。なお、確変状態は例えば特別利益状態の終了後に発生し、次の特別利益状態が発生した時点で終了する。
【０１１１】
制御コマンド送信手段２２８は、所定の制御コマンドを一方向通信により演出制御基板２０２等のサブ制御基板に送信して制御指令を与えるためのもので、特別図柄処理手段２２４による特別図柄処理に基づいて、特別図柄の変動開始時に、特別保留個数の減少を指定する保留減少コマンド、演出図柄の変動パターンを指定する変動パターンコマンド、特別図柄の停止図柄を指定する図柄指定コマンドをこの順序で演出制御基板２０２側に送信し、特別図柄の変動終了時に演出図柄の変動停止を指示する変動停止コマンドを演出制御基板２０２側に送信する機能、特別保留個数が増加したときに特別保留個数の増加を指定する保留増加コマンドを演出制御基板２０２側に送信する機能、特別遊技状態発生手段２２７による特別遊技状態の発生時及び終了時にその特別遊技状態に応じて特別遊技状態発生コマンド、特別遊技状態終了コマンド等を演出制御基板２０２側に送信する機能等を備えている。
【０１１２】
演出制御基板２０２は、スピーカ３６ａ，３６ｂ等の音声出力手段２３１、ＬＥＤ１００ａ，１００ｂ，１８５等の電飾手段２３２、演出図柄表示手段３１、特別保留個数表示手段３２、操作誘導表示手段３３、演出ボタンユニット４４等の各種演出手段を制御するためのもので、演出図柄制御手段２３３、特別保留個数表示制御手段２３４、操作演出制御手段２３５等を備えている。
【０１１３】
演出図柄制御手段２３３は、演出図柄表示手段３１の表示制御及びそれに伴う音声出力手段２３１、電飾手段２３２の制御を行うもので、主制御基板２０１から変動パターンコマンドを受信した場合に、指定された変動パターンに基づいて演出図柄表示手段３１による演出図柄の変動及びそれに伴う音声出力、電飾発光を開始させると共に、変動停止コマンドを受信したときに、図柄指定コマンドと変動パターンコマンドとに基づいて選択された停止図柄で演出図柄の変動を停止させ、またそれに伴う音声出力、電飾発光を停止させるようになっている。
【０１１４】
特別保留個数表示制御手段２３４は、特別保留個数表示手段３２の表示制御を行うもので、特別図柄始動手段２４により新たに遊技球が検出され、主制御基板２０１から保留増加コマンドを受信したときに、その保留増加コマンドに基づいて、画像表示手段２７の表示画面２７ａ上の所定位置に特別保留個数分の保留表示画像Ｘを表示し（図２）、例えば主制御基板２０１から保留減少コマンドを受信することに基づいて、表示中の保留表示画像Ｘの数を１個減少させて前側にシフトさせるように構成されている。
【０１１５】
操作演出制御手段（演出制御手段）２３５は、遊技者による所定操作を伴う操作演出を制御するもので、操作演出決定手段２４１、操作誘導報知制御手段２４２、操作入力管理手段２４３、操作時演出制御手段２４４等を備えている。操作演出は、例えば特別図柄及び演出図柄の図柄変動毎に所定の確率で実行され、その操作演出中の所定の操作有効期間内に遊技者が演出ボタン４２を指定操作態様で操作した場合に、例えばその図柄変動の結果に応じて所定の確率で所定の操作時演出が実行されるようになっている。
【０１１６】
本実施形態では、第１操作演出，第２操作演出及び第３操作演出の３種類の操作演出を実行可能であり、それらは何れも回転体（可動体）８２を用いた演出となっている。第１操作演出は、演出ボタン４２内の回転体８２がチャンス位置となった状態で行われる操作演出で、この第１操作演出中における操作有効期間内に遊技者が演出ボタン４２を指定操作態様（ここでは一回押し）で操作した場合に、複数種類の操作時演出のうちの何れか、例えば画像表示手段２７の背景色を青色に変更する「青背景演出」と赤色に変更する「赤背景演出」との何れかが、特別図柄の変動結果及び利益状態の種類等に応じた所定の確率で実行されるようになっている。なお、青背景演出と赤背景演出の何れも、画像表示手段２７の背景色の変更に加えて、ＬＥＤ１００ａ，１００ｂを所定の発光パターンで発光させるＬＥＤ発光処理を行うものとする。
【０１１７】
第２操作演出は、演出ボタン４２内の回転体８２がラッキーパト位置（特定位置）となった状態で行われる操作演出で、この第２操作演出中における操作有効期間内に遊技者が演出ボタン４２を指定操作態様（ここでは一回押し）で操作した場合に、１種類の操作時演出、例えば回転灯演出が、特別図柄の変動結果及び利益状態の種類等に応じた所定の確率で実行されるようになっている。ここで回転灯演出（特定演出）は、ラッキーパト位置（特定位置）にある回転体８２を回転灯と同様の発光態様で発光させる演出であり、例えば回転体８２内のＬＥＤ（発光体，特定演出手段）１００ａを周方向にタイミングを順次ずらして点滅させる（特定作動態様）ことにより行われる。
【０１１８】
第３操作演出は、演出ボタン４２内の回転体８２がハッピー位置となった状態で行われる操作演出で、この第３操作演出中における操作有効期間内に遊技者が演出ボタン４２を指定操作態様（ここでは一回押し）で操作した場合に、１種類の操作時演出、例えばボタン振動演出が、特別図柄の変動結果及び利益状態の種類等に応じた所定の確率で実行されるようになっている。ここでボタン振動演出は、演出ボタン４２を振動させる演出であり、振動装置１７１を作動させることにより行われる。
【０１１９】
なお、本実施形態では第１〜第３操作演出の何れについても演出ボタン４２を一回だけ操作する「一回押し」を指定操作態様とするが、例えば演出ボタン４２を連続的に複数回操作する「連打」、演出ボタン４２を操作した状態を所定時間以上維持する「長押し」等を指定操作態様としてもよい。また、指定操作態様を抽選等により決定するようにしてもよい。
【０１２０】
操作演出決定手段２４１は、操作演出を実行するか否か、及び実行する場合にはその種類を特別図柄の図柄変動毎に決定するもので、例えば主制御基板２０１から変動パターンコマンド、図柄指定コマンドを受信することを条件に図２０に示す操作演出決定処理を実行するように構成されている。即ち、操作演出決定手段２４１による操作演出決定処理は特別図柄の変動開始毎に実行される。
【０１２１】
この操作演出決定処理（図２０）では、まず操作演出を行うか否か、及び操作演出を行う場合にはその種類、即ち第１〜第３操作演出の何れかが例えば抽選により決定される（Ｓ１）。この抽選は例えば図１８に示すような操作演出選択テーブルに基づいて行われる。図１８に示す操作演出選択テーブルでは、第１〜第３操作演出、操作演出なしの４種類について、大当たり／外れの判定結果（利益状態の発生に関する抽選結果）毎に選択率（％）が設定されている。
【０１２２】
この操作演出選択テーブル（図１８）では、操作演出を行うか否かについては大当たり／外れの判定結果に拘わらず同じ選択率となっている。即ち、操作演出が行われる場合と行われない場合とで大当たり期待度に差はない。また、第１操作演出の選択率については大当たり／外れの判定結果に拘わらず同じであるのに対し、第２操作演出と第３操作演出との選択率については、外れ判定の場合には第２操作演出の方が高いのに対し、大当たり判定の場合には逆に第３操作演出の方が高くなっている。即ち、第２操作演出よりも第３操作演出の方が大当たり期待度（利益状態が発生する確率）が高くなっている。
【０１２３】
なお、操作演出を行うか否か及び操作演出の種類については抽選以外の方法で決定してもよい。例えば演出図柄の変動パターン毎に、操作演出を行うか否か及び操作演出の種類を予め設定しておいてもよいし、演出図柄の変動パターン毎に操作演出の種類を予め設定しておき、操作演出を行うか否かについては抽選により決定するようにしてもよい。Ｓ１において操作演出を行わない旨の決定がされた場合には（Ｓ２：Ｎｏ）、ここで操作演出決定処理は終了する。
【０１２４】
Ｓ１において操作演出を行う旨の決定がされた場合には（Ｓ２：Ｙｅｓ）、回転体８２を操作演出の種類に対応する位置に移動させるべく回転駆動手段８１の駆動制御が行われる（Ｓ３）。即ち、第１操作演出の場合には回転体８２がチャンス位置にくるように、第２操作演出の場合には回転体８２がラッキーパト位置にくるように、第３操作演出の場合には回転体８２がハッピー位置にくるように夫々制御される。この回転駆動手段８１の駆動制御は、回転体８２が所定の原点位置にある状態を基準として、回転駆動手段８１を予め定められた方向に予め定められたステップ数だけ作動させることにより行われる。なお、Ｓ３の処理を行う際には、まず回転体８２が原点位置にあることを確認し、又は原点位置に復帰させる原点位置確認処理を行うことが望ましい。
【０１２５】
本実施形態における回転体８２の原点位置は、回転駆動手段８１を所定方向に作動させることにより原点位置検出手段１３３がＯＦＦからＯＮに切り替わった場合に、更にその所定方向に所定ステップだけ回転駆動手段８１を作動させた状態であるとする。従って、原点位置確認処理は例えば次のような手順で行うことが可能である。即ち、まず原点位置検出手段１３３がＯＮであるか否かを判定し、ＯＮである場合にはＯＦＦになるまで反所定方向に回転駆動手段８１を作動させた後、逆に所定方向に所定ステップだけ回転駆動手段８１を作動させ、また原点位置検出手段１３３がＯＦＦである場合には、ＯＮになるまで所定方向に回転駆動手段８１を作動させた後、更に所定方向に所定ステップだけ回転駆動手段８１を作動させればよい。なお、本実施形態では回転体８２がチャンス位置にある状態を原点位置としているため、Ｓ１で第１操作演出が選択された場合にはＳ３では原点位置確認処理のみを行えばよい。
【０１２６】
Ｓ３に続いては、特定位置検出手段１３４がＯＮであるか否かが判定される（Ｓ４）。本実施形態では、回転体８２がラッキーパト位置（特定位置）を含む特定範囲内にある場合に特定位置検出手段１３４が被検出部９８を検出してＯＮになるように設定されている。Ｓ４で特定位置検出手段１３４がＯＮであると判定された場合には（Ｓ４：Ｙｅｓ）、例えば大当たり／外れの判定結果が判定される（Ｓ５）。そして、Ｓ５で大当たりでないと判定された場合（Ｓ５：Ｎｏ）にはＬＥＤ作動フラグに０が設定され（Ｓ６）、それ以外の場合にはＬＥＤ作動フラグに１が設定される（Ｓ７）。
【０１２７】
なお、回転駆動手段８１等が正常に作動している場合には、Ｓ４で特定位置検出手段１３４がＯＮであると判定されるのは第２操作演出の場合に限られるが、回転駆動手段８１等に異常がある場合などは第１操作演出，第３操作演出の場合であってもＳ４で特定位置検出手段１３４がＯＮであると判定される可能性がある。
【０１２８】
また、操作演出の種類に応じて（Ｓ８）、操作時演出の有無、内容等が決定される（Ｓ９〜Ｓ１６）。Ｓ８において第１操作演出であると判定された場合には例えば図１９（ａ）に示すような第１操作演出選択テーブルに基づいて、例えば操作時演出の種類（ここでは青背景演出又は赤背景演出）が決定される（Ｓ９）。第１操作演出選択テーブル（図１９（ａ））では、各操作時演出（ここでは青背景演出又は赤背景演出）について、大当たりで且つ確変状態発生（以下、確変大当たりという）、大当たりで且つ時短状態発生（以下、時短大当たりという）、外れの各判定結果（利益状態の発生に関する抽選結果）毎に選択率（％）が設定されている。
【０１２９】
図１９（ａ）に示す第１操作演出選択テーブルでは、外れの場合には赤背景演出よりも青背景演出の方が選択率が高いのに対し、大当たりの場合には逆に青背景演出よりも赤背景演出の方が選択率が高くなっている。即ち、第１操作時演出においては、遊技者の操作時に青背景演出が行われる場合よりも赤背景演出が行われる場合の方が大当たり期待度は高い。また、時短大当たりの場合よりも確変大当たりの場合の方が赤背景演出の選択率が高くなっている。即ち、第１操作時演出においては、遊技者の操作時に青背景演出が行われる場合よりも赤背景演出が行われる場合の方が大当たりとなった場合の確変期待度は高い。
【０１３０】
そして、Ｓ９において赤背景演出が選択された場合には（Ｓ１０：Ｙｅｓ）、第１操作時演出フラグに赤背景演出に対応する「１」がセットされ（Ｓ１１）、青背景演出が選択された場合には（Ｓ１０：Ｎｏ）、第１操作時演出フラグに青背景演出に対応する「０」がセットされる（Ｓ１２）。
【０１３１】
Ｓ８において第２操作演出であると判定された場合には、例えば図１９（ｂ）に示すような第２操作演出選択テーブルに基づいて、例えば操作時演出の有無が決定される（Ｓ１３）。第２操作演出選択テーブル（図１９（ｂ））では、遊技者の操作があったときに操作時演出（ここでは回転灯演出）を行うか否かについて、確変大当たり、時短大当たり、外れの各判定結果毎に選択率（％）が設定されている。
【０１３２】
図１９（ｂ）に示す第２操作演出選択テーブルでは、外れの場合には操作時演出ありの選択率が０％となっているため、第２操作演出において遊技者の操作時に回転灯演出が行われた場合には必ず大当たり（特定結果）となる。逆に言えば、外れとなる場合（抽選結果が特定結果でない場合）に回転灯演出（特定演出）が行われる場合はない。なお、確変大当たりの場合と時短大当たりの場合とで操作時演出の有無についての選択率に違いはなく、従って第２操作演出において遊技者の操作時に操作時演出が行われる場合と行われない場合とで大当たりとなった場合の確変期待度に差はない。
【０１３３】
そして、Ｓ１３において操作時演出ありが選択された場合には（Ｓ１４：Ｙｅｓ）、第２操作時演出フラグに操作時演出ありに対応する「１」がセットされ（Ｓ１５）、操作時演出なしが選択された場合には（Ｓ１４：Ｎｏ）、第２操作時演出フラグに操作時演出なしに対応する「０」がセットされる（Ｓ１６）。
【０１３４】
Ｓ８において第３操作演出であると判定された場合には、例えば図１９（ｃ）に示すような第３操作演出選択テーブルに基づいて、例えば操作時演出の有無が決定される（Ｓ１７）。第３操作演出選択テーブル（図１９（ｃ））では、遊技者の操作があったときに操作時演出（ここではボタン振動演出）を行うか否かについて、確変大当たり、時短大当たり、外れの各判定結果毎に選択率（％）が設定されている。
【０１３５】
図１９（ｃ）に示す第３操作演出選択テーブルでは、外れの場合には操作演出ありよりも操作演出なしの方が選択率が高くなっている。また、確変大当たりの場合には操作時演出ありの選択率が１００％であるのに対し、時短大当たりの場合には操作時演出なしの選択率が１００％となっている。即ち、第３操作演出においては、遊技者の操作時に操作時演出が行われた場合には、大当たりになるとすればそれが確変大当たりであることが確定する。
【０１３６】
そして、Ｓ１７において操作時演出ありが選択された場合には（Ｓ１８：Ｙｅｓ）、第３操作時演出フラグに操作時演出ありに対応する「１」がセットされ（Ｓ１９）、操作時演出なしが選択された場合には（Ｓ１８：Ｎｏ）、第３操作時演出フラグに操作時演出なしに対応する「０」がセットされる（Ｓ２０）。
【０１３７】
以上のように、本実施形態では特定位置検出手段１３４がＯＮの状態での操作時演出、即ち回転灯演出が行われるのは大当たりの場合に限られるため（図１９参照）、本来であれば外れの場合に特定位置検出手段１３４がＯＮになることはないが、例えば回転駆動手段８１の異常等により外れであるにも拘わらず特定位置検出手段１３４がＯＮとなっている場合にはＬＥＤ作動フラグに０がセットされる。
【０１３８】
操作誘導報知制御手段２４２は、演出ボタン４２の操作を遊技者に促すための操作誘導報知に関する制御を行うもので、図２１に示す操作誘導報知制御処理を、例えば定期割り込みにより所定時間間隔（ここでは４ｍｓ間隔）で実行するようになっている。
【０１３９】
この操作誘導報知制御処理（図２１）では、まず操作有効期間中であるか否かが判定される（Ｓ２１）。そして、操作有効期間中でないと判定された場合には（Ｓ２１：Ｎｏ）、操作有効期間の開始タイミングが到来したか否かが判定され（Ｓ２２）、操作有効期間の開始タイミングが到来したと判定されることを条件に（Ｓ２２：Ｙｅｓ）、例えば操作誘導表示手段３３による操作誘導画像の表示による操作誘導報知が開始される（Ｓ２３）。ここで、操作誘導画像は例えば演出ボタン４２の押圧動作を表すアニメーション画像等により構成される。このとき、操作誘導画像の表示以外の操作誘導報知、例えばＬＥＤ１００ａ等の発光による操作誘導報知も併せて行うようにしてもよい。但しこの場合、ＬＥＤ１００ａ等の発光パターンは回転灯演出の場合の発光パターンとは明確に異ならせることが望ましい。
【０１４０】
また、Ｓ２１において操作有効期間中であると判定された場合には（Ｓ２１：Ｙｅｓ）、操作有効期間が満了したか否か、即ち操作有効期間の開始から予め定められた操作有効時間が経過したか否かが判定される（Ｓ２４）。そして、未だ操作有効期間が満了しておらず（Ｓ２４：Ｎｏ）、また後述する操作入力管理手段２４３によって操作成功と判定されていない場合には（Ｓ２５：Ｎｏ）、操作誘導表示手段３３等による操作誘導報知がそのまま継続される（Ｓ２６）。
【０１４１】
一方、Ｓ２４において操作有効期間が満了したと判定された場合には（Ｓ２４：Ｙｅｓ）、その時点で操作誘導表示手段３３等による操作誘導報知は終了する（Ｓ２７）。また、Ｓ２４において未だ操作有効期間が満了していないと判定された場合であっても（Ｓ２４：Ｎｏ）、後述する操作入力管理手段２４３によって操作成功と判定された場合（Ｓ２５：Ｙｅｓ）には、その時点で操作誘導報知は終了する（Ｓ２７）。
【０１４２】
操作入力管理手段２４３は、操作有効期間中における演出ボタン４２の操作状況等を管理するもので、操作検出手段１５３からの検出信号に基づいて演出ボタン４２の操作状況を監視し、操作有効期間中に演出ボタン４２が指定操作態様（ここでは一回押し）で操作された場合に操作成功と判定するようになっている。
【０１４３】
操作時演出制御手段２４４は、操作有効期間中に演出ボタン４２が指定操作態様で操作された場合の操作時演出を制御するもので、図２２に示す操作時演出制御処理を、例えば定期割り込みにより所定時間間隔（ここでは４ｍｓ間隔）で実行するようになっている。
【０１４４】
この操作時演出制御処理（図２２）では、まず操作入力管理手段２４３によって操作成功と判定されたか否かが判定され（Ｓ３１）、操作成功と判定されていない場合（Ｓ３１：Ｎｏ）にはここで操作時演出制御処理は終了する。操作成功と判定された場合には（Ｓ３１：Ｙｅｓ）、操作演出の種類に応じて以下の処理が行われる。
【０１４５】
まず、操作演出の種類（Ｓ３２）が第１操作演出の場合には、第１操作演出フラグの値が判定され（Ｓ３３）、第１操作演出フラグの値が０であれば青背景演出が行われる。ここで、青背景演出は、画像表示手段２７の背景色を青に変化させる青背景処理（Ｓ３６）と、演出ボタン４２内のＬＥＤ１００ａ，１００ｂを青背景演出用の発光パターンで発光させるＬＥＤ発光処理（Ｓ３５）とを併せて行うものとするが、Ｓ３４でＬＥＤ作動フラグが０であると判定された場合、即ち回転駆動手段８１の異常等により外れであるにも拘わらず特定位置検出手段１３４がＯＮとなっている場合には、例外的にＬＥＤ発光処理（Ｓ３５）は実行されず、青背景処理（Ｓ３６）のみが実行される。これは、本来はチャンス位置にあるはずの回転体８２が回転駆動手段８１の異常等によってラッキーパト位置又はそれに近い位置にある状態でＬＥＤ１００ａ，１００ｂを発光させてしまうと、遊技者は回転灯演出が行われたものと勘違いし、結果として大当たりにならないことで遊技ホールとの間で無用のトラブルが発生する可能性があることから、そのような事態を未然に防止するためである。
【０１４６】
一方、第１操作演出フラグの値が１であれば赤背景演出が行われる。ここで、赤背景演出は、画像表示手段２７の背景色を赤に変化させる赤背景処理（Ｓ３９）と、演出ボタン４２内のＬＥＤ１００ａ，１００ｂを赤背景演出用の発光パターンで発光させるＬＥＤ発光処理（Ｓ３８）とを併せて行うものとするが、Ｓ３７でＬＥＤ作動フラグが０であると判定された場合、即ち回転駆動手段８１の異常等により外れであるにも拘わらず特定位置検出手段１３４がＯＮとなっている場合には、青背景演出の場合と同様、例外的にＬＥＤ発光処理（Ｓ３８）は実行されず、赤背景処理（Ｓ３９）のみが実行される。
【０１４７】
また、操作演出の種類（Ｓ３２）が第２操作演出の場合には、第２操作演出フラグの値が判定され（Ｓ４０）、第２操作演出フラグの値が１であることを条件に回転灯演出（操作時演出）が行われ（Ｓ４１）、操作時演出制御処理は終了する。第２操作演出では、図１９（ｂ）に示すように回転灯演出（操作時演出）が行われるのは大当たりの場合に限られるため、第２操作演出で回転灯演出が行われた場合には必ず大当たりとなる。
【０１４８】
また、操作演出の種類（Ｓ３２）が第３操作演出の場合には、第３操作演出フラグの値が判定され（Ｓ４２）、第３操作演出フラグの値が１であることを条件にボタン振動演出（操作時演出）が行われる（Ｓ４３）。
【０１４９】
以上のように、本実施形態では大当たりの判定結果が得られていないにも拘わらず特定位置検出手段１３４による検出があった場合には、ＬＥＤ１００ａ等による発光演出を行わないように制御されるため、回転駆動手段８１の不具合等により回転体８２が指示通りに動作しない場合でも、遊技者に大当たりが確定したとの過大な期待感を抱かせてしまうことがなく、遊技ホールとの間の無用のトラブルを未然に防止できる。
【０１５０】
図２３及び図２４は本発明の第２の実施形態を例示し、大当たりでないにも拘わらず特定位置検出手段１３４がＯＮである場合には、ＬＥＤ１００ａによる発光を伴う第２操作演出を行わないように構成した例を示している。本実施形態が第１の実施形態と異なるのは操作演出決定処理（図２３）と操作時演出制御処理（図２４）のみである。
【０１５１】
本実施形態の操作演出決定処理（図２３）が第１の実施形態の操作演出決定処理（図２０）と異なるのは、Ｓ８ａ，Ｓ８ｂが新たに追加されている点のみである。Ｓ８で第２操作演出が選択されていると判定された場合には、ＬＥＤ作動フラグが１であれば第１の実施形態と同様にＳ１３以降の処理が実行されるが、ＬＥＤ作動フラグが０であれば、即ち大当たりでないにも拘わらず特定位置検出手段１３４がＯＮである場合には第２操作演出がキャンセルされる（Ｓ８ｂ）ようになっている。
【０１５２】
また、このようにＬＥＤフラグが０の場合には第２操作演出はキャンセルされるため、本実施形態の操作時演出制御処理（図２４）では、第１の実施形態の操作時演出制御処理（図２２）におけるＳ３４，Ｓ３７が削除されている。
【０１５３】
以上のように、大当たりでないにも拘わらず特定位置検出手段１３４がＯＮである場合には、ＬＥＤ１００ａによる発光を伴う第２操作演出を行わないように構成した場合も、第１の実施形態と同様、回転駆動手段８１の不具合等により回転体８２が指示通りに動作しない場合でも、遊技者に大当たりが確定したとの過大な期待感を抱かせてしまうことがなく、遊技ホールとの間の無用のトラブルを未然に防止できる。
【０１５４】
なお、この第２の実施形態では、本実施形態では大当たりの判定結果が得られていないにも拘わらず特定位置検出手段１３４による検出があった場合には、第１操作演出以外でＬＥＤ１００ａ等の発光演出を伴う第２操作演出のみをキャンセルするように構成したが、ＬＥＤ１００ａ等の発光演出を伴わない第３操作演出もキャンセルするようにしてもよいし、第１操作演出を含む全ての操作演出をキャンセルするようにしてもよい。
【０１５５】
図２５は本発明の第３の実施形態を例示し、振動伝達手段８５ａ〜８５ｄの遊びの配列を変更した例を示している。
【０１５６】
図２５に示すように、本実施形態の振動伝達手段８５ａ〜８５ｄは、ガイド孔１７３ａ〜１７３ｄのうち、ガイド孔１７３ｃ，１７３ｄの形状が第１の実施形態（図１５）と異なっている。即ち、ガイド孔１７３ａ〜１７３ｄを断面形状で比較すると、ガイド孔１７３ａ，１７３ｂ，１７３ｄは円形であるのに対し、左後側のガイド孔１７３ｃは長円状（又は楕円状）で、その長軸方向が、そのガイド孔１７３ｃから前側のガイド孔１７３ａへの方向と略一致している。また、断面形状が円形のガイド孔１７３ａ，１７３ｂ，１７３ｄで直径を比較すると、右前側のガイド孔１７３ｂとその後側のガイド孔１７３ｄとは略同じであるのに対し、左前側のガイド孔１７３ａはガイド孔１７３ｂ，１７３ｄに比べて小径となっている。更に、左後側のガイド孔１７３ｃの長径（長軸方向の径）は、例えば他のガイド孔１７３ａ，１７３ｂ，１７３ｄの直径に比べて大きいが、短径（短軸方向の径）は例えば左前側のガイド孔１７３ａの直径と略同じで、ガイド孔１７３ｂ，１７３ｄの直径より小さくなっている。
【０１５７】
このように本実施形態では、振動伝達手段８５ａ〜８５ｄの少なくとも一組における遊びがその他と異なっており、第１の実施形態と同様、例えば左前側の振動伝達手段（第１振動伝達手段）８５ａの遊びが、その他の全ての振動伝達手段８５ｂ〜８５ｄよりも小さくなっている。また、左後側の振動伝達手段（第２振動伝達手段）８５ｃは、遊びがガイドピン１５１ｃの周方向に一定でなく、その振動伝達手段８５ｃにおいて遊びが最も大きい方向が、その振動伝達手段８５ｃから最も遊びの小さい左前側の振動伝達手段８５ａへの方向と略一致している。また、左前側の振動伝達手段８５ａの遊びと振動伝達手段８５ｃの最小遊びとが略同じであり、その他の振動伝達手段８５ｂ，８５ｄの遊びは振動伝達手段８５ｃの最小遊びよりも大で且つ最大遊びよりも小となっている。
【０１５８】
このように、遊びが最も小さい振動伝達手段８５ａと、長円状の遊びを有する振動伝達手段との配置関係は任意である。
【０１５９】
以上、本発明の実施形態について詳述したが、本発明はこの実施形態に限定されるものではなく、本発明の趣旨を逸脱しない範囲で種々の変更が可能である。例えば、大当たりの判定結果が得られていないにも拘わらず特定位置検出手段１３４による検出があった場合には、特定演出手段（例えばＬＥＤ１００ａ）が特定演出（例えば回転灯演出）と同じ特定作動態様で作動することを禁止し、それ以外の作動態様（例えば連続点灯、単なる点滅等）での作動は許容してもよい。
【０１６０】
実施形態では抽選結果が大当たり（特定結果）でない場合には特定演出（回転灯演出）が出現しないように構成したが、特定結果は遊技者に有利な抽選結果であればよく、例えば確変状態が発生する旨の抽選結果を特定結果としてもよい。また、特定演出は回転灯演出に限られるものではなく、例えばボタン振動演出を特定演出としてもよい。この場合、抽選結果が特定結果でない場合にはボタン振動演出が出現しないように構成し、特定結果でないにも拘わらず特定位置検出手段１３４による検出があった場合には振動発生手段（特定演出手段）８４の作動を禁止するように構成すればよい。
【０１６１】
原点位置検出手段と特定位置検出手段とは異なる被検出部を検出可能に構成してもよい。また、所定の原点位置を特定位置とし、原点位置検出手段を特定位置検出手段としてもよい。
【０１６２】
実施形態の回転体８２は、内部発光基板９０等の電子部品及びその電子部品から引き出されるケーブル等から独立して動作するように構成されているため、回転体８２を例えば一方向に連続回転させるような演出動作も問題なく行うことが可能である。
【０１６３】
可動体は回転動作可能な回転体に限られるものではなく、例えば所定方向にスライド移動可能に構成してもよい。また、可動体を駆動する駆動手段はステッピングモータに限られず、例えば電磁ソレノイド等により構成してもよい。
【０１６４】
発光基板の裏面側に配置された発光体からの光を基板支持手段の裏側に導く導光部は、透光性を有する合成樹脂等で形成されたレンズ状部材により構成してもよい。また、実施形態では導光部をＬＥＤ等の発光体１個に付き１個ずつ設けたが、複数の発光体に対して一つの導光部を設けてもよい。
【０１６５】
振動伝達手段は二組、三組、或いは五組以上設けてもよい。また、振動伝達手段は一組であってもよい。振動発生手段側に挿入部（ガイドピン等）を、操作手段側に被挿入部（ガイド孔等）を設けてもよい。
【０１６６】
また本発明は、アレンジボール機、雀球遊技機等の各種弾球遊技機の他、スロットマシン等の弾球遊技機以外の遊技機においても同様に実施することが可能である。
【符号の説明】
【０１６７】
１  遊技機本体
７  発射手段
８  前扉
１７  発射ハンドル
４４  演出ボタンユニット（操作装置）
５１  扉ベース
５２  演出ボタンユニット支持板金（操作装置支持板金）
５４  開閉端側補強板金
５５  ハンドル固定板金
５６  中央補強板金
６１  左取付部（取付部）
６２  右取付部（取付部）
６３  受け部
６８  補強部
【図１】
0005918791.tif 000002
【図２】
0005918791.tif 000003
【図３】
0005918791.tif 000004
【図４】
0005918791.tif 000005
【図５】
0005918791.tif 000006
【図６】
0005918791.tif 000007
【図７】
0005918791.tif 000008
【図８】
0005918791.tif 000009
【図９】
0005918791.tif 000010
【図１０】
0005918791.tif 000011
【図１１】
0005918791.tif 000012
【図１２】
0005918791.tif 000013
【図１３】
0005918791.tif 000014
【図１４】
0005918791.tif 000015
【図１５】
0005918791.tif 000016
【図１６】
0005918791.tif 000017
【図１７】
0005918791.tif 000018
【図１８】
0005918791.tif 000019
【図１９】
0005918791.tif 000020
【図２０】
0005918791.tif 000021
【図２１】
0005918791.tif 000022
【図２２】
0005918791.tif 000023
【図２３】
0005918791.tif 000024
【図２４】
0005918791.tif 000025
【図２５】
0005918791.tif 000026